(57)【要約】【課題】  本発明は、ビデオ信号処理装置に関し、例えばフォーマット変換等に適用して、動き検出によりフィールド間ライン内挿処理、フィールド内ライン内挿処理を切り換える場合において、簡易な構成により縞模様の発生を有効に回避することができるようにする。【解決手段】  フレーム間差分Ｓ６を１画面中の所定の画素で累計した累計値を所定フィールド離れた対応する累計値と比較し、これらの累計値の差分が所定の判定基準値α以上の場合にはフィールド内ライン内挿処理する。【選択図】        図１
2005244390.tif 000002
【特許請求の範囲】
【請求項１】
動き検出結果によりフィールド内ライン内挿処理とフィールド間ライン内挿処理とを切り換えてビデオ信号を処理するビデオ信号処理装置において、
前記ビデオ信号のフレーム間差分を検出する差分演算手段と、
前記フレーム間差分を１画面中の所定の画素で累計して累計値を出力する累計手段と、
前記累計値を所定フィールド期間遅延させて出力する遅延手段と、
前記遅延手段から出力される累計値と、前記累計手段から出力される対応する画素の累計値とを比較し、累計値の差分が所定の判定基準値以上であるか否かを判断して判断結果を出力する比較手段と、
前記動き検出結果により前記フィールド内ライン内挿処理と前記フィールド間ライン内挿処理とを切り換えて前記ビデオ信号を処理し、前記判断結果に基づいて、前記累計値の差分が前記所定の判定基準値以上の場合に前記フィールド内ライン内挿処理により前記ビデオ信号を処理するビデオ信号処理手段と
を備えることを特徴とするビデオ信号処理装置。
【請求項２】
前記累計手段は、
前記フレーム間差分を所定ブロック単位毎に該ブロック内の一部の画素で累計して前記累計値を出力し、
前記ビデオ信号処理手段は、
前記比較手段の判断結果に基づいて、前記累計値の差分が前記所定の判定基準値以上のブロック数をカウントして出力するカウント手段と、
前記カウント手段のカウント結果に基づいて、前記フィールド内ライン内挿処理により前記ビデオ信号を処理する処理手段と
を備えることを特徴とする請求項１に記載のビデオ信号処理装置。
【請求項３】
前記処理手段は、
前記カウント数が所定数に達した場合に、前記ビデオ信号に対して１画面全体を前記フィールド内ライン内挿処理する
ことを特徴とする請求項２に記載のビデオ信号処理装置。
【請求項４】
前記カウント手段は、
前記ビデオ信号の１画面を分割してなる領域毎に前記判定基準値以上のブロック数をカウントし、
前記処理手段は、
前記カウント数が所定数に達した前記領域に対して前記ビデオ信号を前記フィールド内ライン内挿処理する
ことを特徴とする請求項２に記載のビデオ信号処理装置。
【発明の詳細な説明】
【技術分野】
【０００１】
本発明は、ビデオ信号処理装置に関し、例えばビデオ信号のフォーマット変換等に適用することができる。本発明は、フレーム間差分を１画面中の所定の画素で累計した累計値を所定フィールド離れた対応する累計値と比較し、これらの累計値の差分が所定の判定基準値以上の場合にはフィールド内ライン内挿処理することにより、動き検出によりフィールド間ライン内挿処理、フィールド内ライン内挿処理を切り換える場合において、簡易な構成により縞模様の発生を有効に回避することができる。
【背景技術】
【０００２】
従来、ビデオ信号処理装置であるフォーマット変換装置等においては、ライン内挿処理によりビデオ信号のサンプリングレートを変換するようになされている。このような処理におけるライン内挿処理においては、例えばLEE, March’８１：TV Standards Converters Meeting Needs of Expanded Broadcasting Rangesに紹介されているように、動き検出結果に基づいてライン内挿処理をフィールド内とフィールド間とで切り換え、これにより画質劣化を防止するようになされている。すなわちこの種の処理においては、動きが検出されると、フィールド内ライン内挿処理によりビデオ信号を処理するのに対し、動きが検出されない場合には、フィールド間ライン内挿処理によりビデオ信号を処理するようになされている。また動き検出においては、例えばいわゆるフレーム間差分により検出するようになされている。
【０００３】
しかしながら処理対象であるビデオ信号においては、フェードイン、フェードアウト等の場面で、フレーム間で徐々にビデオ信号の信号レベルが変化しているものの、動き検出によっては動きが検出されない場合がある。このような場合に、単に動き検出結果によりライン内挿処理を切り換えていたのでは、フレーム間ライン内挿処理が選択されて表示画面に横方向の縞模様が発生する問題がある。
【０００４】
すなわち図３は、このような縞模様の発生原因に供する図表である。なお、以下においては、説明の簡略化のために、２ラインを用いたフィールド間ライン内挿処理により、ライン数を５ラインから６ラインに変換する場合について説明する。この図においては、符号Ａ１、Ａ２、Ａ３及び符号Ｂ１、Ｂ２、Ｂ３がそれぞれ前フィールド及び現フィールドにおける対応する各画素であり、符号Ｃ１、Ｃ２、Ｃ３がフィールド間ライン内挿処理によって作成される画素である。
【０００５】
ライン内挿処理においては、この場合、前フィールドの重み付け係数と現フィールドの重み付け係数との加算値が値１となるように内挿比が設定されるものの、ライン数変換においては、内挿処理に係る各ラインによって重み付け係数が異なることになる。これにより内挿処理により生成される内挿フィールドにおいては、ラインによって本来の階調より変化し、これにより横方向に縞模様が発生することになる。この現象は、画面内で階調が徐々に変化している場合はもとより、画面内の階調が一様な場合でも縞模様が発生することになる。なお図３においては、それぞれ矢印に付した１／３等の数字が内挿比である。
【０００６】
この問題を解決する１つの方法として、このような場合にはフィールド内ライン内挿処理を選択するように、動き検出の感度を向上させることが考えられる。すなわち例えばライン数が５２５本、フィールド周波数が５９．９４［Ｈｚ］のＴＶ方式において、ビデオ信号が８ビットにより構成されている場合に、このビデオ信号が２秒間で２５５階調から０階調まで変化した場合、１フィールド当たりの変化量は、２５５階調／１２０フィールド＝２となる。これによりこの場合、フィールド間で１つの画素値が２階調変化した場合に、動き検出するように、動き検出の感度を向上すれば良いことになる。
【０００７】
しかしながらこのように動き検出の感度を向上させると、動き検出が敏感になり過ぎ、ノイズによっても動き検出してしまう問題がある。
【非特許文献１】LEE, March’８１：TV Standards Converters Meeting Needs of Expanded Broadcasting Ranges
【発明の開示】
【発明が解決しようとする課題】
【０００８】
本発明は以上の点を考慮してなされたもので、動き検出によりフィールド間ライン内挿処理、フィールド内ライン内挿処理を切り換える場合において、簡易な構成により縞模様の発生を有効に回避することができるビデオ信号処理装置を提案しようとするものである。
【課題を解決するための手段】
【０００９】
係る課題を解決するため請求項１の発明においては、動き検出結果によりフィールド内ライン内挿処理とフィールド間ライン内挿処理とを切り換えてビデオ信号を処理するビデオ信号処理装置に適用して、ビデオ信号のフレーム間差分を検出する差分演算手段と、フレーム間差分を１画面中の所定の画素で累計して累計値を出力する累計手段と、累計値を所定フィールド期間遅延させて出力する遅延手段と、遅延手段から出力される累計値と、累計手段から出力される対応する画素の累計値とを比較し、累計値の差分が所定の判定基準値以上であるか否かを判断して判断結果を出力する比較手段と、動き検出結果によりフィールド内ライン内挿処理とフィールド間ライン内挿処理とを切り換えてビデオ信号を処理し、判断結果に基づいて、累計値の差分が所定の判定基準値以上の場合にフィールド内ライン内挿処理によりビデオ信号を処理するビデオ信号処理手段とを備えるようにする。
【００１０】
また請求項２の発明においては、請求項１の構成において、累計手段は、フレーム間差分を所定ブロック単位毎に該ブロック内の一部の画素で累計して累計値を出力し、ビデオ信号処理手段は、比較手段の判断結果に基づいて、累計値の差分が所定の判定基準値以上のブロック数をカウントして出力するカウント手段と、カウント手段のカウント結果に基づいて、フィールド内ライン内挿処理によりビデオ信号を処理する処理手段とを備えるようにする。
【００１１】
また請求項３の発明においては、請求項２の構成において、処理手段は、カウント数が所定数に達した場合に、ビデオ信号に対して１画面全体をフィールド内ライン内挿処理するようにする。
【００１２】
また請求項４の発明においては、請求項２の構成において、カウント手段は、ビデオ信号の１画面を分割してなる領域毎に判定基準値以上のブロック数をカウントし、処理手段は、カウント数が所定数に達した領域に対してビデオ信号をフィールド内ライン内挿処理するようにする。
【００１３】
請求項１の構成によれば、動き検出結果によりフィールド内ライン内挿処理とフィールド間ライン内挿処理とを切り換えてビデオ信号を処理するビデオ信号処理装置に適用して、ビデオ信号のフレーム間差分を検出する差分演算手段と、フレーム間差分を１画面中の所定の画素で累計して累計値を出力する累計手段と、累計値を所定フィールド期間遅延させて出力する遅延手段と、遅延手段から出力される累計値と、累計手段から出力される対応する画素の累計値とを比較し、累計値の差分が所定の判定基準値以上であるか否かを判断して判断結果を出力する比較手段と、動き検出結果によりフィールド内ライン内挿処理とフィールド間ライン内挿処理とを切り換えてビデオ信号を処理し、判断結果に基づいて、累計値の差分が所定の判定基準値以上の場合にフィールド内ライン内挿処理によりビデオ信号を処理するビデオ信号処理手段とを備えることにより、１画面中の所定の画素で累計したフレーム間差分値によりフェードイン、フェードアウト等に係る画像の変化を検出してフィールド内ライン内挿処理することができ、動き検出によりフィールド間ライン内挿処理、フィールド内ライン内挿処理を切り換える場合において、簡易な構成により縞模様の発生を有効に回避することができる。
【００１４】
また請求項２の構成によれば、請求項１の構成において、累計手段は、フレーム間差分を所定ブロック単位毎に該ブロック内の一部の画素で累計して累計値を出力し、ビデオ信号処理手段は、比較手段の判断結果に基づいて、累計値の差分が所定の判定基準値以上のブロック数をカウントして出力するカウント手段と、カウント手段のカウント結果に基づいて、フィールド内ライン内挿処理によりビデオ信号を処理する処理手段とを備えることにより、所定ブロック単位毎に該ブロック内の一部の画素で累計したフレーム間差分値によりフェードイン、フェードアウト等に係る画像の変化を検出してフィールド内ライン内挿処理することができ、動き検出によりフィールド間ライン内挿処理、フィールド内ライン内挿処理を切り換える場合において、簡易な構成により縞模様の発生を有効に回避することができる。
【００１５】
また請求項３の構成によれば、請求項２の構成において、処理手段は、カウント数が所定数に達した場合に、ビデオ信号に対して１画面全体をフィールド内ライン内挿処理することにより、画面全体でフェードイン、フェードアウト等に係る画像の変化を確実に検出することができ、簡易な構成により縞模様の発生を有効に回避することができる。
【００１６】
また請求項４の構成によれば、請求項２の構成において、カウント手段は、ビデオ信号の１画面を分割してなる領域毎に判定基準値以上のブロック数をカウントし、処理手段は、カウント数が所定数に達した領域に対してビデオ信号をフィールド内ライン内挿処理することにより、各領域毎にフェードイン、フェードアウト等に係る画像の変化を確実に検出することができ、簡易な構成により縞模様の発生を有効に回避することができる。
【発明の効果】
【００１７】
本発明によれば、動き検出によりフィールド間ライン内挿処理、フィールド内ライン内挿処理を切り換える場合において、簡易な構成により縞模様の発生を有効に回避することができる。
【発明を実施するための最良の形態】
【００１８】
以下、適宜図面を参照しながら本発明の実施例を詳述する。
【実施例１】
【００１９】
（１）実施例の構成
図１は、本発明の実施例１に係るビデオ信号処理装置を示すブロック図である。このビデオ信号処理装置１は、フォーマット変換に適用して、ビデオ信号Ｓ１のライン数を変換する。
【００２０】
このビデオ信号処理装置１において、フィールドメモリ（ＦＭ）２は、順次入力されるビデオ信号Ｓ１を１フィールドの期間、遅延させてなる遅延ビデオ信号Ｓ２を出力する。フィールド間ライン内挿処理回路３は、このフィールドメモリ２の入出力信号Ｓ１、Ｓ２による連続するフィールドのビデオ信号によりライン内挿の処理を実行し、処理結果であるビデオ信号Ｓ３を出力する。これに対してフィールド内ライン内挿処理回路４は、このビデオ信号処理装置１に入力するビデオ信号Ｓ１によりライン内挿の処理を実行し、処理結果であるビデオ信号Ｓ４を出力する。このビデオ信号処理装置１において、これらフィールド間ライン内挿処理回路３、フィールド内ライン内挿処理回路４は、ライン数の変換に供するように構成され、これによりこのビデオ信号処理装置１では、フィールド間ライン内挿処理によりビデオ信号Ｓ３とフィールド内ライン内挿処理によるビデオ信号Ｓ４とを同時並列的に生成するようになされている。
【００２１】
フィールドメモリ（ＦＭ）５は、フィールドメモリ２から順次出力される遅延ビデオ信号Ｓ２から輝度信号を選択的に入力し、この輝度信号をさらに１フィールドの期間、遅延させてなる遅延ビデオ信号Ｓ５を出力する。
【００２２】
差分演算回路６は、ビデオ信号Ｓ１の輝度信号から対応する遅延ビデオ信号Ｓ５を減算し、フレーム間の信号レベル差を示すフレーム間差分信号Ｓ６を出力する。なおこのフレーム間差分信号Ｓ６の検出にあっては、輝度信号に代えて、又は輝度信号に加えて、色差信号、色信号を使用するようにしてもよく、これらを併用する場合には、さらに一段と縞模様の発生を防止することができる。
【００２３】
絶対値変換回路７は、差分演算回路６から出力されるフレーム間差分信号Ｓ６による差分値の絶対値を計算してエッジ制御回路８に出力する。なお絶対値変換回路７は、省略することもできる。
【００２４】
エッジ検出回路９は、ビデオ信号Ｓ１の輝度成分よりエッジ領域を検出し、この検出結果をエッジ制御回路８に出力する。エッジ制御回路８は、絶対値変換回路７から出力されるフレーム間差分値をエッジ検出回路９から出力されるエッジ検出結果で補正することにより、エッジの部分でフレーム間差分値を必要に応じて抑圧して出力する。これによりこの実施例においては、エッジによる動きの誤検出を防止するようになされている。なおエッジ検出回路９及びエッジ制御回路８は省略することもできる。
【００２５】
リミッタ回路１０は、エッジ制御回路８から出力されるフレーム間差分値を一定の上限値により制限して出力する。この実施例においては、この上限値が４ビットによる最大値である値１５に設定され、これによりリミッタ回路１０は、値１６以上のフレーム間差分値については、値１５に設定して出力する。またこのような上限値による制限を上位側４ビットの切り捨てにより実行し、これによりフレーム間差分値のビット数を４ビットに低減して出力する。これによりこの実施例では、以降の処理を簡略化するようになされている。
【００２６】
累計回路１１は、リミッタ回路１０から出力される４ビットのフレーム間差分値について、所定ブロック内での累計値を計算する。この処理において、累計回路１１は、図２に示すように、１画面を水平方向及び垂直方向にそれぞれ４分割して構成される計１６個の各領域Ｋ１〜Ｋ１６毎に累計値を計算する。また各領域Ｋ１〜Ｋ１６においては、それぞれ各領域Ｋ１〜Ｋ１６の中心に設けられた８画素×４ラインの検出ブロックＭについて、フレーム間差分値を加算することにより、この累計値を計算する。これによりこの実施例においては、１画面に設けられた複数領域毎にフレーム間差分値の累計値を計算するようにして、各領域内の中心に設けた代表点により各領域の累計値を表すようになされ、一画面中の一部の画素である所定の画素で累計値を計算するようになされている。
【００２７】
メモリ回路１２は、累計回路１１から出力される累計値を順次記録して保持し、４フィールド期間遅延させて出力する。しかしてこのメモリ回路１２においては、１検出ブロック当たり４（ビット）×８（画素）×４（ライン）のビット数を４フィールド期間記憶するために、１検出ブロック当たり４（ビット）×８（画素）×４（ライン）×４（フィールド）のメモリ容量で構成されている。
【００２８】
比較回路１３は、メモリ回路１２から出力される各検出ブロックＭの累計値と、累計回路１１から出力される４フィールド期間離れた対応する検出ブロックＭでの累計値との差分を計算し、この差分値を所定の判定基準値αと比較することにより、検出ブロックＭにおけるフレーム間差分値の４フィールド期間での変化を判定する。なお判定基準値αは、オペレータの操作により設定された値が適用され、又は事前に設定された固定値が適用される。これにより比較回路１３は、単なるフレーム間差分のみによってはノイズに埋まってしまうような小さな動きを、４フィールド離れたフレーム間差分により検出するようになされている。
【００２９】
この判定において、比較回路１３は、比較結果が判定基準値α以上の場合には値１を出力し、これに対して比較結果が判定基準値αよりも小さい場合は値０を出力する。
【００３０】
カウンタ回路１４は、比較回路１３から出力される判定結果をカウントし、その結果得られるカウント値を所定の判定基準値βにより判定することにより、動き検出信号を出力する。この処理においてカウンタ回路１４は、図２に示すように、画面を左右に２分割してなる各領域Ｐ１、Ｐ２毎に比較回路１３から出力される判定結果をカウントする。またこれら領域Ｐ１、Ｐ２に設けられた全領域で比較回路１３から出力される判定結果が値１の場合、すなわち各々カウント値が値８の場合、各領域Ｐ１、Ｐ２毎にそれぞれ動き検出信号を出力する。これによりこの実施例においては、さらにフェードイン、フェードアウト等に係る画像の変化を確実に検出することができるようになされている。
【００３１】
動き検出回路１７は、絶対値変換回路７から出力される絶対値化されたフレーム間差分信号を所定の判定基準により判定することにより、ビデオ信号Ｓ１を動き検出して動き検出結果を判定回路１５に出力する。
【００３２】
判定回路１５は、カウンタ回路１４から出力される動き検出信号により動き検出回路１７から出力される動き検出結果を補正して荷重加算回路１６に出力する。具体的に、判定回路１５は、動き検出回路１７から出力される動き検出結果で何ら動き検出されていない場合、すなわちビデオ信号Ｓ１が静止画であるとの動き検出結果が得られている場合に、カウンタ回路１４から動き検出信号が出力されている場合、静止画であるとの動き検出結果を動画の動き検出結果に補正して出力する。これに対して動き検出回路１７から出力される動き検出結果でビデオ信号Ｓ１が静止画であるとの動き検出結果が得られている場合に、カウンタ回路１４から動き検出信号が出力されていない場合、静止画であるとの動き検出結果をそのまま出力する。また動き検出回路１７から出力される動き検出結果でビデオ信号Ｓ１が動画であるとの動き検出結果が得られている場合には、判定回路１５は、カウンタ回路１４から動き検出信号が出力されている場合、及び動き検出信号が出力されていない場合のいずれにおいても、動画であるとの検出結果をそのまま出力する。
【００３３】
これにより判定回路１５においては、動き検出回路１７から出力される動き検出結果でビデオ信号Ｓ１が静止画であるとの動き検出結果が得られている場合であって、かつカウンタ回路１４から動き検出信号が出力されている場合においてのみ、動き検出回路１７の動き検出結果を補正して出力するようになされている。
【００３４】
荷重加算回路１６は、判定回路１５から出力される各領域Ｐ１、Ｐ２毎の動き検出結果に基づいて、各領域Ｐ１、Ｐ２毎にフィールド間ライン内挿処理結果Ｓ３、フィールド内ライン内挿処理結果Ｓ４を選択出力する。この処理において、荷重加算回路１６は、これらフィールド間ライン内挿処理結果Ｓ３、フィールド内ライン内挿処理結果Ｓ４を重み付け加算して出力するようにして、この重み付け加算に供する重み付け係数の切り換えにより、これらフィールド間ライン内挿処理結果Ｓ３、フィールド内ライン内挿処理結果Ｓ４の切り換えの際に、この重み付け係数を徐々に変化させ、これによりこれら内挿処理の切り換えにおける違和感を解消するようになされている。
【００３５】
これによりこの実施例において、差分演算回路６は、ビデオ信号のフレーム間差分を検出する差分演算手段を構成し、累計回路１１は、フレーム間差分を１画面中の所定の画素で累計して累計値を出力する累計手段を構成し、メモリ回路１２は、累計値を所定フィールド期間遅延させて出力する遅延手段を構成し、比較回路１３は、遅延手段から出力される累計値と、累計手段から出力される対応する画素の累計値とを比較し、累計値の差分が所定の判定基準値以上であるか否かを判断して判断結果を出力する比較手段を構成し、フィールド間ライン内挿処理回路３、フィールド内ライン内挿処理回路４、カウンタ回路１４、判定回路１５、荷重加算回路１６は、動き検出結果によりフィールド内ライン内挿処理とフィールド間ライン内挿処理とを切り換えてビデオ信号を処理し、判断結果に基づいて、累計値の差分が所定の判定基準値以上の場合にフィールド内ライン内挿処理によりビデオ信号を処理するビデオ信号処理手段を構成するようになされている。
【００３６】
（２）実施例の動作
以上の構成において、このビデオ信号処理装置１において、ビデオ信号Ｓ１は、フィールドメモリ２により１フィールドの期間遅延されて遅延ビデオ信号Ｓ２が生成される。ビデオ信号処理装置１では、これらビデオ信号Ｓ１及び遅延ビデオ信号Ｓ２がフィールド間ライン内挿処理回路３に入力されてライン内挿処理に供され、フィールド間ライン内挿処理によるビデオ信号Ｓ３が生成される。また遅延ビデオ信号Ｓ２が直接フィールド内ライン内挿処理回路４により処理されてフィールド内ライン内挿処理によるビデオ信号Ｓ４が生成され、これらビデオ信号Ｓ３及びＳ４が動き検出回路１７による動き検出結果により荷重加算回路１６より選択出力される。
【００３７】
このビデオ信号処理装置１では、このようなフィールド間ライン内挿処理、フィールド内ライン内挿処理に供する遅延ビデオ信号Ｓ２が、フィールドメモリ５によりさらに１フィールド遅延されてビデオ信号Ｓ１に対して１フレーム遅延してなる遅延ビデオ信号Ｓ５が生成され、これらビデオ信号Ｓ１及び遅延ビデオ信号Ｓ５間で、輝度信号によるフレーム間差分信号Ｓ６が生成される。またこのフレーム間差分信号Ｓ６は、絶対値変換回路７で絶対値に変換された後、累計回路１１により検出ブロックＭ毎に累計されて出力される。この累計値は、メモリ回路１２で記録されて保持され、４フィールド期間後に読み出されて累計回路１１から出力される４フィールド後の対応する検出ブロックＭの累計値と比較される。これにより単なるフレーム間差分のみによってはノイズに埋まってしまうような小さな動きも、４フィールド期間離れたフレーム間差分の累計値の比較により検出される。
【００３８】
さらに比較回路１３では、４フィールド離れた検出ブロックＭの累計値の差分が判定基準値α以上であるか否かが判断され、判断結果がカウント回路１４に出力される。カウント回路１４では、判定基準値α以上の検出ブロックＭの数がカウントされる。このカウント結果により画面全体がフェードイン、フェードアウトしているか否かを検出することができる。すなわち４フィールド期間離れた累計値にあっては、例えばフェードインのようにビデオ信号Ｓ１の信号レベルが画面全体で一様に立ち上がっている場合、画面内の全てのブロックである領域Ｋ１〜Ｋ１６において、それぞれ設けられた検出ブロックＭで正のほぼ一定値に立ち上がるのに対し、フェードアウトのように、ビデオ信号Ｓ１の信号レベルが画面全体で一様に立ち下がっている場合、画面全体で負のほぼ一定値に立ち下がる。
【００３９】
これによりカウント回路１４では、カウント結果が所定の判定基準値βにより判断され、判定基準値βに達した場合には、フェードイン、フェードアウト等が検出されて動き検出信号が出力される。この実施例の場合、画面を左右に２分割してなる領域Ｐ１、Ｐ２毎にカウントするようになされていることにより、判定基準値βは各領域Ｐ１、Ｐ２の検出ブロック数である値８に設定されている。これによりこのカウント結果により領域Ｐ１内の全ての検出ブロックＭで累計が判定基準値α以上に変化している場合には、領域Ｐ１でのフェードイン、フェードアウトが検出され、また領域Ｐ２内の全ての検出ブロックＭで累計が判定基準値α以上に変化している場合には、領域Ｐ２でのフェードイン、フェードアウト等が検出されて動き検出信号が出力される。
【００４０】
これによりビデオ信号処理装置１では、この判定結果により出力される動き検出信号により動き検出回路１７の動き検出結果が補正されて、フレーム間差分が小さい場合でも、このフレーム間差分が画面の領域Ｐ１、Ｐ２で一様に立ち上がっている場合、又は立ち下がっている場合には、動き検出回路１７の動き検出では静止画と判定されるようなフェードイン、フェードアウト等が検出される。これによりこのような場合には、フィールド内ライン内挿処理によりライン内挿するように、荷重加算回路１６が制御され、縞模様の発生が有効に回避される。
【００４１】
このような処理につき、このビデオ信号処理装置１では、画面内の各領域Ｋ１〜Ｋ１６においてそれぞれの一部である８画素×４ラインの検出ブロックＭ毎にフレーム間差分の累計を計算して４フィールド期間遅延させ、４フィールド後の対応する検出ブロックＭの累計と比較するようにしたことにより、１画面中の一部の画素である各検出ブロックＭの分だけ累計値を４フィールド期間遅延させることができる容量のメモリ回路１２を用いればよく、全画素分のフレーム間差分の累計値を遅延させる場合に比して、メモリ回路１２の容量を小さくすることができ、また演算量もこの分低減することができる。
【００４２】
（３）実施例の効果
以上の構成によれば、フレーム間差分を１画面中の所定の画素で累計した累計値を所定フィールド離れた対応する累計値と比較し、これらの累計値の差分が所定の判定基準値α以上の場合にはフィールド内ライン内挿処理することにより、動き検出によりフィールド間ライン内挿処理、フィールド内ライン内挿処理を切り換える場合において、簡易な構成により縞模様の発生を有効に回避することができる。
【００４３】
またフレーム間差分を所定ブロック単位毎に該ブロック内の一部の画素で累計して累計値を算出し、所定フィールド離れた対応する画素の累計値と比較して累計値の差分が所定の判定基準値α以上であるブロック数が所定数βに達した場合にフィールド内ライン内挿処理するようにしたことにより、各ブロック内の一部の画素を代表点としてフィールド内ライン内挿処理するか否かを判断することができ、この分簡易な構成により縞模様の発生を有効に回避することができる。
【００４４】
また画面を分割してなる各領域Ｐ１、Ｐ２毎に累計値の差分が所定の判定基準値α以上であるブロック数をカウントし、このカウント結果に基づいて各領域Ｐ１、Ｐ２毎にフィールド内ライン内挿処理するようにしたことにより、各領域Ｐ１、Ｐ２毎にフェードイン、フェードアウト等に係る画像の変化を確実に検出することができ、簡易な構成により縞模様の発生を有効に回避することができる。
【実施例２】
【００４５】
この実施例に係るビデオ信号処理装置では、図１について上述した、１画面を２分割してなる領域Ｐ１、Ｐ２毎に累計値の差分が判定基準値α以上となる検出ブロック数をカウントし、このカウント結果に基づいて領域Ｐ１、Ｐ２毎にフィールド内ライン内挿処理する構成に代えて、画面全体で累計値の差分が判定基準値α以上の検出ブロック数をカウントし、このカウント結果に基づいて画面全体でフィールド内ライン内挿処理する構成が異なる点を除いて、実施例１について上述したビデオ信号処理装置１と同一に構成される。
【００４６】
すなわちカウンタ回路１４は、比較回路１３から出力される判定結果を画面全体についてカウントし、その結果得られるカウント値を所定の判定基準値βにより判定することにより、動き検出信号を出力する。この実施例の場合、１画面を１６分割してなる領域Ｋ１〜Ｋ１６毎に検出ブロックＭが設定されていることにより、判定基準値βは値１６に設定される。判定回路１５は、カウンタ回路１４から出力される動き検出信号により動き検出回路１７から出力される動き検出結果を画面全体について補正して荷重加算回路１６に出力する。
【００４７】
これによりこの実施例においては、実施例１に係るビデオ信号処理装置１に比して、画面全体でフェードイン、フェードアウト等を検出してフィールド内ライン内挿処理するようになされている。
【００４８】
この実施例によれば、画面全体で累計値の差分が所定の判定基準値α以上であるブロック数をカウントし、このカウント結果に基づいて画面全体でフィールド内ライン内挿処理するようにしたことにより、画面全体でフェードイン、フェードアウト等に係る画像の変化を確実に検出することができ、簡易な構成により縞模様の発生を有効に回避することができる。
【実施例３】
【００４９】
なお上述の実施例１及び実施例２においては、８画素×４ライン毎にフレーム間差分の累計を算出する場合について述べたが、本発明はこれに限らず、他の種々の大きさのブロック単位でフレーム間差分を累計するようにしてもよい。
【００５０】
また上述の実施例１においては、１画面を左右に２分割してなる領域Ｐ１、Ｐ２毎に累計値をカウントしてこの領域Ｐ１、Ｐ２毎にフィールド間ライン内挿処理、フィールド内ライン内挿処理を切り換える場合について述べたが、本発明はこれに限らず、例えば上下に分割する等、種々の分割方法を適用することができ、また分割数も種々適用することができる。
【００５１】
また上述の実施例１及び実施例２においては、累計値のカウント数が最大値（実施例１の場合値８、実施例２の場合値１６）となった場合にフィールド内ライン内挿処理を選択する場合について述べたが、本発明はこれに限らず、要は領域Ｐ１、Ｐ２内又は画面全体の検出ブロック数の大半を占める数を適用すればよい。
【００５２】
また上述の実施例１及び実施例２においては、１画面を１６分割してなる各領域毎に検出ブロックＭを設ける場合について述べたが、本発明はこれに限らず、他の種々の分割数を適用することができる。
【００５３】
また上述の実施例１及び実施例２においては、４フィールド期間離れたフレーム間差分の累計値を比較する場合について述べたが、本発明はこれに限らず、要は複数フィールド離れた累計値を比較するようにすればよい。
【産業上の利用可能性】
【００５４】
本発明は、ビデオ信号処理装置に関し、例えばビデオ信号のフォーマット変換に適用することができる。
【図面の簡単な説明】
【００５５】
【図１】本発明の実施例に係るビデオ信号処理装置を示すブロック図である。
【図２】図１のビデオ信号処理装置の動作の説明に供する略線図である。
【図３】フィールド間ライン内挿処理による縞模様の説明に供する図表である。
【符号の説明】
【００５６】
１……ビデオ信号処理装置、２、５……フィールドメモリ、３……フィールド間ライン内挿処理回路、４……フィールド内ライン内挿処理回路、６……差分演算回路、１１……累計回路、１２……メモリ回路、１３……比較回路、１４……カウンタ回路、１５……判定回路、１６……荷重加算回路、１７……動き検出回路
【図１】
2005244390.tif 000003
【図２】
2005244390.tif 000004
【図３】
2005244390.tif 000005